(57)【特許請求の範囲】
【請求項１】
原稿を載置するコンタクトガラスと、
該コンタクトガラスが露出する開口部が形成された額縁状のフレーム本体と、該フレーム本体の前記開口部に橋渡し状に一体形成され、シェーディング板を保持する支持部と、を有する上フレームと、
該上フレームとの間に前記コンタクトガラスを挟持する下フレームと、
を備えた画像読取装置において、
前記上フレームには、前記開口部の周縁に沿って裏面側に突出する第１リブと、前記支持部の長手方向の側端縁に沿って裏面側に突出する一対の第２リブと、前記支持部に隣接する前記開口部の周縁の一部が外側に拡張されるとともに前記第１リブが欠損する少なくとも一つの切り欠き部と、が形成されており、
前記第１リブは、前記第２リブに貼り付けられる両面テープの厚み分だけ前記第２リブよりも突出量が大きく、前記上フレームと前記下フレームとの間に前記コンタクトガラスを挟持したとき、前記フレーム本体が撓んで前記第１リブが前記コンタクトガラスに圧接されており、
前記シェーディング板は、一対の前記第２リブで挟まれた領域に配置されることを特徴とする画像読取装置。
【請求項２】
前記コンタクトガラスは、前記支持部を挟んで自動読取用ガラスと手置き原稿用ガラスとに区画されており、
前記コンタクトガラスに対して上方に開閉可能であり、原稿を前記自動読取用ガラスの上面に搬送する原稿搬送装置を備えており、
前記原稿搬送装置を閉じたとき、前記原稿搬送装置の正面側の端縁に設けられた突起部が前記切り欠き部に係合することで、前記原稿搬送装置が前記自動読取用ガラスに対して所定の傾きとなるように位置決めされることを特徴とする請求項１に記載の画像読取装置。
【請求項３】
前記支持部は、原稿が定形サイズである場合にサイズを確認するための目盛りが付されたサイズ指示板と、前記自動読取用ガラスを通過した原稿を前記原稿搬送装置の原稿搬送路に案内する原稿搬送ガイドと、を兼ねていることを特徴とする請求項２に記載の画像読取装置。
【請求項４】
前記支持部の表面は、前記自動読取用ガラス側から前記手置き原稿用ガラス側に向かって上り勾配である傾斜面となっており、前記自動読取用ガラスを通過した原稿は前記傾斜面に沿って前記原稿搬送装置の原稿搬送路に案内されることを特徴とする請求項３に記載の画像読取装置。
【請求項５】
前記第１リブと前記コンタクトガラスとは両面テープによって固定されていないことを特徴とする請求項１乃至請求項４のいずれかに記載の画像読取装置。
【請求項６】
請求項１乃至請求項５のいずれかに記載の画像読取装置が搭載された画像形成装置。
【発明の詳細な説明】
【技術分野】
【０００１】
本発明は、デジタル複写機やイメージスキャナー等に用いられる、原稿を走査して読み取る画像読取装置及びそれを備えた画像形成装置に関するものである。
【背景技術】
【０００２】
従来、電子写真プロセスを用いた複合機等に搭載される画像読取装置には、シート状の原稿を読み取るために順次原稿載置台（コンタクトガラス）へ送り込み、読み取り終了後に原稿載置台上から排出するような原稿搬送装置（Automatic Document Feeder、原稿搬送手段）を備えたものがある。このような画像読取装置においては、原稿押さえを閉じたままで原稿搬送装置によって原稿を自動的に搬送して読み取るシートスルー方式と、読み取る毎に原稿押さえを開閉して原稿載置台上の原稿を１枚ずつ取り替えて光学系（走査手段）を移動させて原稿を読み取る原稿固定方式の２種類の読み取り方式が可能である。なお、前者のシートスルー方式では、画像読取装置内の光学系が走査移動することなく所定の画像読取位置に保持されたまま原稿の読取動作が行われ、他方、後者の原稿固定方式では、その光学系が走査移動しながら読取動作が行われる。
【０００３】
従来の画像読取装置に用いられるコンタクトガラスは、原稿固定方式で原稿が載置される手置き原稿用ガラスと、シートスルー方式での画像読取位置に配置される自動読取用ガラスとが別体で構成されていた。そして、各ガラスが画像読取装置の上面を構成する額縁状の上フレームと、上フレームに橋渡し状に固定される、シェーディング補正用の白基準板（シェーディング板）を貼り付ける支持部とに両面テープ等で貼り付け固定されており、上フレームまたは支持部材とコンタクトガラスとの間に原稿が入り込んだり、支持部（シェーディング板）とコンタクトガラスとの間に埃が入り込んだりする不具合を防止していた。
【０００４】
例えば、特許文献１には、コンタクトガラスと、コンタクトガラスを支持する支持フレームとの隙間を密閉するシール部材（原稿スケール）を設け、シール部材に、コンタクトガラスと接触する弾性材料部と、弾性材料部と所定の接合力で接合するよう２色成形された可塑性材料部とを設ける方法が開示されている。
【先行技術文献】
【特許文献】
【０００５】
【特許文献１】特開２００３−２９５３５９号公報
【発明の概要】
【発明が解決しようとする課題】
【０００６】
ところで、部品点数や組み立て工数の削減のために、画像読取装置の上フレームと、シェーディング板を貼り付ける支持部（サイズ指示板）とを一体形成するとともに、手置き原稿用ガラスと自動読取用ガラスを１枚のコンタクトガラスで構成することが考えられる。この場合、部品の寸法公差等の影響で上フレームの外周縁と支持部の外周縁の高さにばらつきが生じた場合、上フレームとコンタクトガラス、または支持部とコンタクトガラスとの間に隙間が生じる。
【０００７】
例えば、図１１に示すように、上フレーム６０ｂの外周縁に形成された第１リブ８３が支持部８２の外周縁に形成された第２リブ８５よりも突出している場合、支持部８２とコンタクトガラス（手置き原稿用ガラス２５ｂ）との間に隙間Ｆが生じ、手置き原稿用ガラス２５ｂの上に載置した原稿の端部が隙間Ｆに入り込んだり、自動読取用ガラス２５ａまたは手置き原稿用ガラス２５ｂと支持部８２（シェーディング板）との間に埃が進入したりするおそれがある。
【０００８】
また、図１２に示すように、支持部８２の第２リブ８５が上フレーム６０ｂの第１リブ８３よりも突出している場合、上フレーム６０ｂとコンタクトガラス（手置き原稿用ガラス２５ｂ）との間に隙間Ｆ′が生じ、手置き原稿用ガラス２５ｂの上に載置した原稿の端部が隙間Ｆに入り込むおそれがある。
【０００９】
ここで、上フレーム６０ｂと支持部８２の外周縁の全域に両面テープを貼り付けて隙間ＦまたはＦ′を封止することも考えられるが、両面テープを多量に使用するためコストアップに繋がるとともに、組み立て工数も増加する。また、装置の廃棄時に樹脂製の上フレームまたは支持部とコンタクトガラスとを容易に分解することができず、分別廃棄が困難となる。
【００１０】
本発明は、上記問題点に鑑み、上フレームと、シェーディング板を貼り付ける支持部とが一体形成される場合に、上フレームとコンタクトガラスとの間への原稿の入り込み、及び、シェーディング板とコンタクトガラスの間への埃の入り込みを防止できる画像読取装置及びそれを備えた画像形成装置を提供することを目的とする。
【課題を解決するための手段】
【００１１】
上記目的を達成するために本発明は、原稿を載置するコンタクトガラスと、該コンタクトガラスが露出する開口部が形成された額縁状のフレーム本体と、該フレーム本体の前記開口部に橋渡し状に一体形成され、シェーディング板を保持する支持部と、を有する上フレームと、該上フレームとの間に前記コンタクトガラスを挟持する下フレームと、を備えた画像読取装置において、前記上フレームには、前記開口部の周縁に沿って裏面側に突出する第１リブと、前記支持部の長手方向の側端縁に沿って裏面側に突出する一対の第２リブと、前記支持部に隣接する前記開口部の周縁の一部が外側に拡張されるとともに前記第１リブが欠損する少なくとも一つの切り欠き部と、が形成されており、前記第１リブは、前記第２リブに貼り付けられる両面テープの厚み分だけ前記第２リブよりも突出量が大きく、前記上フレームと前記下フレームとの間に前記コンタクトガラスを挟持したとき、前記フレーム本体が撓んで前記第１リブが前記コンタクトガラスに圧接されており、前記シェーディング板は、一対の前記第２リブで挟まれた領域に配置されることを特徴としている。
【００１２】
また本発明は、上記構成の画像読取装置において、前記コンタクトガラスに対して上方に開閉可能であり、原稿を前記自動読取用ガラスの上面に搬送する原稿搬送装置を備えており、前記原稿搬送装置を閉じたとき、前記原稿搬送装置の正面側の端縁に設けられた突起部が前記切り欠き部に係合することで、前記原稿搬送装置が前記自動読取用ガラスに対して所定の傾きとなるように位置決めされることを特徴としている。
【００１３】
また本発明は、上記構成の画像読取装置において、前記コンタクトガラスは、前記支持部を挟んで自動読取用ガラスと手置き原稿用ガラスとに区画されており、前記支持部は、原稿が定形サイズである場合にサイズを確認するための目盛りが付されたサイズ指示板と、前記自動読取用ガラスを通過した原稿を前記原稿搬送装置の原稿搬送路に案内する原稿搬送ガイドと、を兼ねていることを特徴としている。
【００１４】
また本発明は、上記構成の画像読取装置において、前記支持部の表面は、前記自動読取用ガラス側から前記手置き原稿用ガラス側に向かって上り勾配である傾斜面となっており、前記自動読取用ガラスを通過した原稿は前記傾斜面に沿って前記原稿搬送装置の原稿搬送路に案内されることを特徴としている。
【００１５】
また本発明は、上記構成の画像読取装置において、前記第１リブと前記コンタクトガラスとは両面テープによって固定されていないことを特徴としている。
【００１６】
また本発明は、上記構成の画像読取装置が搭載された画像形成装置である。
【発明の効果】
【００１７】
本発明の第１の構成によれば、上フレームと、シェーディング板を貼り付ける支持部とが一体形成され、手置き原稿用ガラスと自動読取用ガラスを１枚のコンタクトガラスで構成する場合に、開口部の周縁に形成された第１リブがフレーム本体の撓みによってコンタクトガラスに圧接される。従って、上フレームとコンタクトガラスとの境界への原稿の入り込みを防止することができる。また、両面テープを支持部の長手方向の周縁の第２リブのみに使用するため、組み立て作業性や分解作業性に優れた画像読取装置となる。さらに、支持部に隣接する開口部の周縁の一部が外側に拡張され、第１リブが欠損する切り欠き部を設けたので、第１リブまたは第２リブの突出量にばらつきがある場合であっても、切り欠き部でフレーム本体の撓み量が調整され、突出量のばらつきが吸収されるため、上フレームとコンタクトガラスとの間における隙間の発生を防止することができる。また、一対の第２リブに挟まれた領域にシェーディング板が配置され、第２リブとコンタクトガラスが両面テープによって貼り付けられるため、シェーディング板の領域に埃が入りにくくなる。
【図面の簡単な説明】
【００１８】
【図１】本発明の一実施形態に係る画像読取部６を備えた画像形成装置１００の全体構成を示す側面断面図
【図２】画像読取部６に原稿を自動搬送する原稿搬送装置２７の内部構造を示す側面断面図
【図３】画像読取部６を正面側から見た断面図
【図４】画像読取部６内のスキャナーユニット６１の内部構造を示す拡大断面図
【図５】画像読取部６の上フレーム６０ｂを表面側から見た斜視図
【図６】画像読取部６の上フレーム６０ｂを裏面側から見た斜視図
【図７】図５における切り欠き部９０周辺の部分拡大図
【図８】上フレーム６０ｂの第１リブ８３とコンタクトガラス２５との関係を示す部分断面図
【図９】支持部８２の端部周辺の部分断面図
【図１０】画像読取部６と原稿搬送装置２７との位置決め機構を示す部分拡大図
【図１１】従来の画像読取部において、支持部８２とコンタクトガラスとの間に隙間Ｆが生じた状態を示す斜視図
【図１２】従来の画像読取部において、上フレーム６０ｂとコンタクトガラスとの間に隙間Ｆ′が生じた状態を示す斜視図
【発明を実施するための形態】
【００１９】
以下、図面を参照しながら本発明の実施形態について説明する。図１は、本発明の一実施形態に係る画像読取部６を備えた画像形成装置１００の概略構成図である。図１において、画像形成装置１００（ここでは一例としてデジタル複合機を示す）では、コピー動作を行う場合、後述する画像読取部６において原稿の画像データを読み取り画像信号に変換する。一方、複合機本体２内の画像形成部３において、帯電ユニット４により図中の時計回り方向に回転する感光体ドラム５が一様に帯電され、画像読取部６で読み取られた原稿画像データに基づく露光ユニット（レーザー走査ユニット等）７からのレーザービームにより感光体ドラム５上に静電潜像が形成され、現像ユニット８により静電潜像に現像剤（以下、トナーという）が付着されてトナー像が形成される。この現像ユニット８へのトナーの供給はトナーコンテナ９から行われる。
【００２０】
上記のようにトナー像が形成された感光体ドラム５に向けて、用紙が給紙機構１０から用紙搬送路１１及びレジストローラー対１２を経由して画像形成部３に搬送され、この画像形成部３において転写ローラー１３（画像転写部）により感光体ドラム５の表面におけるトナー像が用紙に転写される。そして、トナー像が転写された用紙は感光体ドラム５から分離され、定着ローラー対１４ａを有する定着部１４に搬送されてトナー像が定着される。定着部１４を通過した用紙は、複数方向に分岐した用紙搬送路１５に送られて、用紙搬送路１５の分岐点に設けられた複数の経路切換ガイドを有する経路切換機構２１、２２によって用紙の搬送方向が振り分けられ、そのまま（或いは、反転搬送路１６に送られて両面コピーされた後に）、第１排出トレイ１７ａ、第２排出トレイ１７ｂから成る用紙排出部に排出される。
【００２１】
また、図示しないが、感光体ドラム５の表面の残留電荷を除去する除電装置がクリーニング装置１８の下流側に設けられている。さらに、給紙機構１０は、複合機本体２に着脱自在に取り付けられ、用紙を収納する複数の給紙カセット１０ａ、１０ｂと、その上方に設けられるスタックバイパス（手差しトレイ）１０ｃと、を備えてなり、これらは用紙搬送路１１によって感光体ドラム５及び現像ユニット８等からなる画像形成部３に繋がっている。
【００２２】
複合機本体２の上部には、画像読取部６が配置されており、複合機本体２の上面には画像読取部６のコンタクトガラス２５（図３参照）上に載置される原稿を押さえて保持するプラテン（原稿押さえ）２４が開閉可能に設けられており、プラテン２４上には原稿搬送装置２７が付設されている。
【００２３】
用紙搬送路１５は、具体的には、定着ローラー対１４ａの下流側において、まず左右二股に分岐し、一方の経路（図１では右方向に分岐する経路）は第１排出トレイ１７ａに連通するように構成されている。そして、他方の経路（図１では左方向に分岐する経路）は搬送ローラー対１９を経由して二股に分岐し、一方の経路（図１では左方向に分岐する経路）は第２排出トレイ１７ｂに連通するように構成されている。これに対し、他方の経路（図１では下方向に分岐する経路）は反転搬送路１６に連通するように構成されている。
【００２４】
図２は、原稿搬送装置２７の内部構造を示す側面断面図である。カバー部材３１内には、原稿給紙トレイ２９から原稿排出トレイ３２に至る原稿搬送路ｄが形成されており、原稿搬送路ｄに沿ってピックアップローラー３３、給紙ベルト３４及び分離ローラー３５、レジストローラー対３６、搬送ローラー対３７、３８、３９、及び４０、ＣＩＳローラー４１、反転ローラー対４２、排出ローラー対４３等から成る原稿搬送部材が設けられている。
【００２５】
給紙ベルト３４は駆動ローラー４４ａと従動ローラー４４ｂに掛け回されており、下方から分離ローラー３５が所定の圧力で接触している。分離ローラー３５にはトルクリミッターが内蔵されており、回転負荷が所定トルクを下回る場合のみ給紙ベルト３４と逆方向に回転し、回転負荷が所定トルクを上回る場合には給紙ベルト３４と従動回転するようになっている。ピックアップローラー３３の上方には原稿の上面位置を検知する上面検知センサー５０が配置されている。
【００２６】
コンタクトガラス２５は、自動読取用ガラス２５ａと手置き原稿用ガラス２５ｂ（図３参照）を構成する１枚のガラス板から成り、自動読取用ガラス２５ａと手置き原稿用ガラス２５ｂとの間に対向して配置されるシェーディング板と、シェーディング板の上部にあって白基準板を自動読取用ガラス２５ａに向けて押圧するための原稿押圧部（いずれも図示せず）とが設けられている。なお、原稿搬送路ｄはレジストローラー対３６から自動読取用ガラス２５ａに至る間において反転するように湾曲している。また、原稿搬送路ｄには、原稿の存否或いは通過を検知するための給紙センサーＳ１、排出センサーＳ２を含む複数の用紙検知センサーが適所に設けられている。
【００２７】
次に、原稿搬送装置２７を用いたシートスルー方式の原稿搬送動作について説明する。シートスルー方式においては、原稿給紙トレイ２９に画像面を上向きにして複数枚の原稿をセットした後、画像形成装置１００の操作パネル５５（図１参照）のコピー開始ボタンがオンされると、昇降機構（図示せず）により上昇したリフト板４５が原稿を介してピックアップローラー３３を押し上げ、ピックアップローラー３３を含む枠体（図示せず）の重さがリフト板４５に加わることにより、原稿の上面が所定の圧力（給紙圧）でピックアップローラー３３に押しつけられる。
【００２８】
ここで、ピックアップローラー３３、駆動ローラー４４ａ、従動ローラー４４ｂ及び給紙ベルト３４は、図示しない枠体に配置されている。また、ピックアップローラー３３は駆動ローラー４４ａと不図示のギアで連結されており、ローラー駆動モーター（図示せず）により駆動ローラー４４ａが回転すると、駆動ローラー４４ａと従動ローラー４４ｂとにより張架された給紙ベルト３４が回転駆動されると共に、ピックアップローラー３３も回転駆動される。
【００２９】
原稿給紙トレイ２９にセットされた原稿は、ピックアップローラー３３によって通常上段の複数枚が給紙ベルト３４と分離ローラー３５のニップ部に送られる。そして、複数枚の原稿のうち分離ローラー３５により最上の１枚のみが分離されてレジストローラー対３６に向けて搬送される。その際、原稿の先端が給紙センサーＳ１によって検出されてから所定の距離だけその原稿が搬送された後、ローラー駆動モーターの作動停止によってピックアップローラー３３及び給紙ベルト３４の回転駆動が停止され一次給紙が終了する。一次給紙された原稿は、その先端がレジストローラー対３６のニップ部に撓みが形成された状態で停止させられる。
【００３０】
一次給紙が終了してから所定時間経過後、二次給紙が開始される。つまり、二次給紙駆動モーター（図示せず）の作動によりレジストローラー対３６が回転駆動される。原稿は、レジストローラー対３６、搬送ローラー対３７〜３９、ＣＩＳローラー４１により、自動読取用ガラス２５ａを経て排出ローラー対４３に向けて搬送された後、最終的には排出ローラー対４３によって原稿排出トレイ３２上に排出される。その際、排出センサーＳ２により原稿の後端通過を検知したことによって、原稿１枚の画像読み取りの完了を検出するようになっている。
【００３１】
ここで排出センサーＳ２は、原稿の搬送完了毎に原稿枚数を計数するカウント機能を有しており、給紙センサーＳ１が後続の原稿を検知していれば、２枚目以降の原稿搬送が上記と同様に続行される。なお、原稿は、自動読取用ガラス２５ａを通過する際に、搬送ガイド５３と当接することによって上方からその原稿の画像が自動読取用ガラス２５ａを通じて画像読取部６（図３参照）により読み取られるようになっている。
【００３２】
また、両面原稿を読み取る場合は、ＣＩＳローラー４１に対向して設けられたコンタクトイメージセンサー５１で原稿裏面の画像を読み取り、自動読取用ガラス２５ａで原稿表面の画像を読み取る一段階読み取り法と、自動読取用ガラス２５ａで原稿表面の画像を読み取った後、分岐爪４７ａ、４７ｂ、及び４７ｃにより原稿を反転トレイ３０に振り分け、反転ローラー対４２を逆転させて、原稿の裏面を上にした状態で再びレジストローラー対３６の上流側に搬送し、自動読取用ガラス２５ａで原稿裏面の画像を読み取る二段階読み取り法とがある。
【００３３】
コンタクトイメージセンサー５１による読み取りは読み取り時間が短縮できる反面、自動読取用ガラス２５ａでの読み取りに比べて画質の面で劣る。そのため、文字原稿などの場合はコンタクトイメージセンサー５１を用いた一段階読み取り法を用い、写真原稿など高画質、高精細な読み取りが要求される場合は反転トレイ３０を用いた二段階読み取り法を用いることが好ましい。
【００３４】
なお、二段階読み取り法を用いる場合、読み取り終了後の原稿をそのまま原稿排出トレイ３２に順次排出すると、排出された原稿は原稿給紙トレイ２９にセットした状態と表裏が逆になって積載されることになる。そこで、自動読取用ガラス２５ａで原稿裏面の画像を読み取った後、分岐爪４７ａ〜４７ｃを揺動させて原稿を再び反転トレイ３０上へ導入し、搬送ローラー対４０及び排出ローラー対４３を介して原稿排出トレイ３２へ排出する。これにより、各原稿の表裏が排出前にもう一度反転されるため、原稿給紙トレイ２９にセットした状態を保持したまま原稿排出トレイ３２上へ積載することができる。
【００３５】
続いて、原稿の画像を電気信号として読み取るための画像読取部６の構成について説明する。図３は、本発明の第１実施形態に係る画像読取部６を正面側から見た断面図、図４は、図３の画像読取部６内のスキャナーユニット６１の内部構造を示す拡大断面図である。本実施形態においては、画像読取部６にＣＣＤセンサー方式のスキャナーユニット６１を搭載した例について示している。
【００３６】
図３に示すように、画像読取部６は、下フレーム６０ａと上フレーム６０ｂとで構成される合成樹脂製の筐体６０と、筐体６０内を副走査方向（矢印ＡＢ方向）に往復移動可能に設けられたスキャナーユニット６１とを有する。上フレーム６０ｂの上面には自動読取用ガラス２５ａと手置き原稿用ガラス２５ｂから成るコンタクトガラス２５が設置されている。
【００３７】
スキャナーユニット６１の主走査方向（図３の紙面と垂直な方向）に対し下フレーム６０ａの中央部には、スキャナーユニット６１の主走査方向の位置を規制するガイド軸６３と、スキャナーユニット６１が固定される無端状の駆動ベルト６５がスキャナーユニット６１の副走査方向に沿って配置されている。また、ガイド軸６３を中心として下フレーム６０ａの主走査方向の両端部には、スキャナーユニット６１を摺動可能に支持するレール部６７が形成されている。パルスモーター等のモーター（図示せず）からの駆動力が、ギア等（図示せず）を介して駆動ベルト６５に伝達されると、駆動ベルト６５が回動し、駆動ベルト６５と共にスキャナーユニット６１がレール部６７に沿って矢印Ａ、Ｂ方向に往復移動する。
【００３８】
図４に示すように、スキャナーユニット６１には、光源７０と、複数のミラー７１、複数のレンズから構成される集光レンズ７３と、読取手段としてのＣＣＤセンサー７５が備えられており、図４の一点鎖線矢印に示すように、光源７０から照射された光が原稿（図示せず）により反射され、複数のミラー７１によって光路が変更された後、集光レンズ７３により集光され、ＣＣＤセンサー７５に導かれるようになっている。なお、ＣＣＤセンサー７５はＣＣＤ基板７５ａに支持されている。また、スキャナーユニット６１は、シェーディング板９１（図９参照）の直下をホームポジションとしている。
【００３９】
上記構成においては、原稿固定方式で原稿画像を読み取る場合、先ず、原稿（図示せず）を手置き原稿用ガラス２５ｂ上に画像面を下向きにして載置する。そして、光源７０からの光Ｄにより原稿の画像面を照射しながら、スキャナーユニット６１をスキャナホーム側（図３の左側）からスキャナリターン側（図３の右側）へ、所定の速度で矢印Ａ方向に移動させる。その結果、画像面で反射された光Ｄは画像光となってＣＣＤセンサー７５上に結像される。結像された画像光ＤはＣＣＤセンサー７５において画素分解され、各画素の濃度に応じた電気信号に変換されて画像の読み取りが行われる。
【００４０】
一方、シートスルー方式で原稿画像を読み取る場合は、スキャナーユニット６１を自動読取用ガラス２５ａの画像読取領域（画像読取位置）の直下（図４の位置）に移動させる。そして、原稿搬送装置２７によって自動読取用ガラス２５ａに向けて軽く押圧されながら順次搬送される原稿の画像面を光源７０からの光Ｄで照射しながら、画像面で反射された画像光をＣＣＤセンサー７５上に結像させて画像の読み取りが行われる。
【００４１】
次に、本実施形態の画像読取部６におけるコンタクトガラス２５の取り付け構造について説明する。図５及び図６は、それぞれ画像読取部６の上フレーム６０ｂを表面側及び裏面側から見た斜視図、図７は、図５における切り欠き部９０周辺（図５の破線円Ｓ内）の部分拡大図、図８は、上フレーム６０ｂの第１リブ８３とコンタクトガラス２５との関係を示す部分断面図、図９は、支持部８２の端部周辺の部分断面図（図７のＸＸ矢視断面図）である。なお、図６では上フレーム６０ｂから操作パネル５５を取り外した状態を示している。
【００４２】
図５に示すように、上フレーム６０ｂは、コンタクトガラス２５が露出する開口部８０が形成された額縁状であるフレーム本体８１と、画像形成装置１００の正面側（操作パネル５５側）から見てフレーム本体８１の左端近傍に橋渡し状に一体形成された支持部８２とを有する。
【００４３】
また、開口部８０は支持部８２によって左右２つの領域に分割されており、開口部８０から露出する１枚のコンタクトガラス２５も、支持部８２の左側に露出する自動読取用ガラス２５ａと、支持部８２の右側に露出する手置き原稿用ガラス２５ｂとに区画される。
【００４４】
図６に示すように、上フレーム６０ｂの裏面側には、開口部８０の周縁に沿って突出する第１リブ８３が形成されている。支持部８２の裏面には長手方向の側端縁に沿って突出する第２リブ８５が形成されており、第２リブ８５で挟まれた領域がシェーディング板９１（図９参照）を貼り付け固定する断面凹形状のシェーディング板固定部８７となっている。
【００４５】
支持部８２の表面にはＡ４、Ｂ４等の複数の目盛りが刻印されており、原稿が定形サイズである場合にサイズを確認し、原稿が不定形サイズである場合に原稿のサイズを設定するサイズ指示板としての機能を有する。また、図９に示すように、支持部８２の表面は自動読取用ガラス２５ａ側（図９の右側）から手置き原稿用ガラス２５ｂ側（図９の左側）に向かって上り勾配である傾斜面８２ａとなっており、シートスルー方式で原稿画像を読み取る場合に自動読取用ガラス２５ａを通過した原稿が傾斜面８２ａに沿って原稿搬送路ｄに円滑に搬送される。即ち、シェーディング板９１を固定する支持部８２は、サイズ指示板及び原稿搬送ガイドを兼ねている。
【００４６】
画像形成部６を組み立てる際は、先ず、支持部８２の裏面側のシェーディング板固定部８７にシェーディング板９１を貼り付け固定した後、支持部８２の第２リブ８５に両面テープ９３を貼り付けておく。次に、下フレーム６０ａ（図３参照）の支持部（図示せず）にコンタクトガラス２５を載置した状態で上フレーム６０ｂを下フレーム６０ａに組み合わせることで、コンタクトガラス２５が上フレーム６０ｂと下フレーム６０ａとで挟持される。
【００４７】
ここで、図８（ａ）に示すように、第１リブ８３は、上フレーム６０ｂを下フレーム６０ａに組み合わせたとき、コンタクトガラス２５の表面（図に破線で表示）よりもコンタクトガラス２５の厚み方向（下方向）に所定量だけオーバーラップするような突出量に設定されている。そのため、図８（ｂ）に示すように、コンタクトガラス２５の表面から受ける抗力によってフレーム本体８１が撓み、フレーム本体８１の復元力によって第１リブ８３がコンタクトガラス２５に圧接される。これにより、第１リブ８３とコンタクトガラス２５とが隙間なく密着するため、第１リブ８３に両面テープを貼り付ける必要がなくなる。
【００４８】
また、図９に示すように、第１リブ８３の突出量は、第２リブ８５に貼り付けられる両面テープ９３の厚み分だけ第２リブ８５よりも大きくなっている。従って、第２リブ８５に両面テープ９３を貼り付けた状態で第１リブ８３の先端と両面テープ９３とが略面一となるため、第１リブ８３とコンタクトガラス２５、及び第２リブ８５とコンタクトガラス２５とを、それぞれ隙間なく密着させることができる。また、第１リブ８３とコンタクトガラス２５との固定に両面テープ９３を使用しないため、組み立てコストを削減できるとともに画像読取部６の組み立て作業性や分解作業性も向上する。
【００４９】
本実施形態の画像読取部６では、上フレーム６０ｂの開口部８０の周縁の一部を外側に拡張するとともに第１リブ８３が欠損した切り欠き部９０が、支持部８２の手置き原稿用ガラス２５ｂ側に隣接して形成されている。この切り欠き部９０によってフレーム本体８１の第１リブ８３と支持部８２の第２リブ８５とが分断されるため、部品公差等の影響で第１リブ８３または第２リブ８５の突出量にばらつきがある場合であっても、切り欠き部９０でフレーム本体８１の撓み量が調整されることで突出量のばらつきを吸収することができる。
【００５０】
従って、支持部８２とコンタクトガラス２５との間の隙間（図１１参照）や、フレーム本体８１とコンタクトガラス２５との間の隙間（図１２参照）が発生せず、コンタクトガラス２５と支持部８２（シェーディング板９１）との間に埃が進入したり、コンタクトガラス２５の上に載置した原稿の端部が隙間に入り込んだりする不具合を簡単な構成で効果的に防止することができる。
【００５１】
なお、第１リブ８３または第２リブ８５の突出量にばらつきがあるとき、切り欠き部９０とコンタクトガラス２５との間には若干の隙間が発生する可能性がある。しかし、切り欠き部９０は、原稿の端部の位置決め基準となる開口部８０の外周縁（第１リブ８３）から外側に外れた位置にあるため、切り欠き部９０に原稿の端部が進入するおそれはない。また、切り欠き部９０はシェーディング板固定部８７からも離れているため、コンタクトガラス２５とシェーディング板９１との間に埃が進入するおそれもない。
【００５２】
また、ここでは画像形成装置１００の正面側（操作パネル５５側）から見て支持部８２の手前側に隣接して切り欠き部９０を設けたが、支持部８２の奥側に隣接して切り欠き部９０を設けても良いし、手前側と奥側の両方に切り欠き部９０を設けても良い。さらに、支持部８２の自動読取用ガラス２５ａ側に隣接して切り欠き部９０を設けることもできるが、自動読取用ガラス２５ａとフレーム本体８１との間に原稿の端部が進入するおそれはないため、支持部８２の手置き原稿用ガラス２５ｂ側に隣接して切り欠き部９０を設けることが好ましい。
【００５３】
図１０は、画像読取部６と原稿搬送装置２７との位置決め機構を示す部分拡大図である。原稿搬送装置２７のカバー部材３１には、画像形成装置１００の正面側（操作パネル５５側）の端縁に突起部９５が形成されている。突起部９５は、原稿搬送装置２７を自動読取用ガラス２５ａ（画像読取位置）に対して所定の傾きとなるように位置決めしたとき、上フレーム６０ｂの切り欠き部９０に係合する位置に形成されている。
【００５４】
原稿搬送装置２７を閉じる際、突起部９５を切り欠き部９０に係合することで、画像読取部６に対し原稿搬送装置２７が所定の位置に位置決めされる。この状態でシートスルー方式の原稿画像の読み取りを行えば、画像を精度良く読み取ることができ、歪みのない画像を出力することができる。
【００５５】
その他本発明は、上記実施形態に限定されず、本発明の趣旨を逸脱しない範囲で種々の変更が可能である。例えば、上記各実施形態に示したスキャナーユニット６１の駆動機構の構成は一例に過ぎず、駆動ベルト６５及びモーターに代えて他の駆動機構とすることもできる。
【００５６】
また、上記各実施形態では、本発明の画像読取装置として、画像形成装置１００に搭載される画像読取部６を例に挙げて説明したが、画像形成装置と別体で用いられるイメージスキャナーにも全く同様に適用することができる。
【産業上の利用可能性】
【００５７】
本発明は、上フレームと、シェーディング板を貼り付ける支持部とが一体形成され、手置き原稿用ガラスと自動読取用ガラスを１枚のコンタクトガラスで構成する画像読取装置に利用可能である。本発明の利用により、上フレームとコンタクトガラスとの間への原稿の入り込み、及び、シェーディング板とコンタクトガラスの間への埃の入り込みを防止できる画像読取装置を簡易な構成で提供することができる。
【符号の説明】
【００５８】
６                画像読取部（画像読取装置）
２５              コンタクトガラス
２５ａ            自動読取用ガラス
２５ｂ            手置き原稿用ガラス
２７              原稿搬送装置
６０ａ            下フレーム
６０ｂ            上フレーム
６１              スキャナーユニット
８０              開口部
８１              フレーム本体
８２              支持部
８３              第１リブ
８５              第２リブ
８７              シェーディング板固定部
９０              切り欠き部
９１              シェーディング板
９３              両面テープ
９５              突起部
１００            画像形成装置
【図１】
0006047590.tif 000002
【図２】
0006047590.tif 000003
【図３】
0006047590.tif 000004
【図４】
0006047590.tif 000005
【図５】
0006047590.tif 000006
【図６】
0006047590.tif 000007
【図７】
0006047590.tif 000008
【図８】
0006047590.tif 000009
【図９】
0006047590.tif 000010
【図１０】
0006047590.tif 000011
【図１１】
0006047590.tif 000012
【図１２】
0006047590.tif 000013